(57)【要約】【課題】  室内空気中の有害ガス、特にシックハウス症候群の主たる原因物質であるホルムアルデヒドやアセトアルデヒド等の有害ガスを効率よく除去するとともに、空気浄化効果の即効性が高く、しかも特別な再生手段を必要とせずに有害ガス除去機能の自己再生が可能な自己再生型有害ガス除去フィルターを得ること。【解決手段】  フィルター本体部分１１または空気の通る通路の表層部分が、吸湿性材料１２と常温活性触媒１３とを複合化したものからなり、さらにこの吸湿性材料１２の表面に空気中の水溶性有害ガスを溶解する凝縮した水膜１４を有する構造。【選択図】        図１
2005224703.tif 000002
【特許請求の範囲】
【請求項１】
吸湿性材料と常温活性触媒とを複合化してなり、この吸湿性材料の表面に空気中の水溶性有害ガスを溶解する凝縮した水膜を有することを特徴とする自己再生型有害ガス除去フィルター。
【請求項２】
フィルター本体部分または空気の通る通路の表層部分が吸湿性材料と常温活性触媒とを複合化してなるものであることを特徴とする請求項１記載の自己再生型有害ガス除去フィルター。
【請求項３】
吸湿性材料、常温活性触媒及び無機バインダーを少なくとも含む混合物からなることを特徴とする請求項１または２記載の自己再生型有害ガス除去フィルター。
【請求項４】
吸湿性材料が吸湿性セラミックスであることを特徴とする請求項１乃至３のいずれかに記載の自己再生型有害ガス除去フィルター。
【請求項５】
常温活性触媒が貴金属と金属酸化物を複合化した触媒であることを特徴とする請求項１乃至３のいずれかに記載の自己再生型有害ガス除去フィルター。
【請求項６】
常温活性触媒が金属酸化物を主成分とする触媒であることを特徴とする請求項１乃至３のいずれかに記載の自己再生型有害ガス除去フィルター。
【請求項７】
フィルター本体部分がハニカム状構造体からなることを特徴とする請求項１乃至６のいずれかに記載の自己再生型有害ガス除去フィルター。
【請求項８】
水溶性の有害ガスであるホルムアルデヒドあるいはアセトアルデヒドを除去する機能を有することを特徴とする請求項１乃至７のいずれかに記載の自己再生型有害ガス除去フィルター。
【請求項９】
吸湿性材料をハニカム状に成形し、空気の通る通路の表面に常温活性触媒を担持させることを特徴とする自己再生型有害ガス除去フィルターの製造方法。
【請求項１０】
吸湿性セラミックスを用いてハニカム状に成形することを特徴とする請求項９記載の自己再生型有害ガス除去フィルターの製造方法。
【請求項１１】
吸湿性材料と無機繊維からなる混抄紙を用いてハニカム状に成形し、このハニカム状構造体をフィルター枠に組み込むことを特徴とする自己再生型有害ガス除去フィルターの製造方法。
【請求項１２】
室内空気を循環させる送風機をケーシング内の風路中に備え、その風路に、吸湿性材料と常温活性触媒とを複合化してなり、この吸湿性材料の表面に空気中の水溶性有害ガスを溶解する凝縮した水膜を有する自己再生型有害ガス除去フィルターを設けたことを特徴とする空気清浄機。
【請求項１３】
室内空気を循環させる送風機をケーシング内の風路中に備え、その風路に、吸湿性材料と常温活性触媒とを複合化してなり、この吸湿性材料の表面に空気中の水溶性有害ガスを溶解する凝縮した水膜を有する自己再生型有害ガス除去フィルターを設けたことを特徴とする空調システム。
【発明の詳細な説明】
【技術分野】
【０００１】
本発明は、空気中に含まれる汚染物質、特にいわゆるシックハウス症候群の原因と考えられるＶＯＣガスを除去し、汚染された空気を浄化する自己再生型の有害ガス除去フィルター及びその製造方法に関するものである。また、本発明は、水溶性のＶＯＣガスであるホルムアルデヒドあるいはアセトアルデヒドを除去して浄化する空気清浄機あるいは空調システムに関するものである。
ここに、ＶＯＣとは、Volatile  Organic  Compoundsの略で、常温で揮発しやすい揮発性有機化合物のことであり、ホルムアルデヒド、アセトアルデヒド、トルエン、キシレン、エチルベンゼン、スチレン等様々な物資がある。
【背景技術】
【０００２】
近年、冷暖房効果を高めるために居住空間の断熱化、気密化が進むにつれて室内空気の汚染が問題となっている。ガス状の汚染物質としては臭気ガスおよび有害ガスがある。前者は不快感を示す程度であるが、後者はいわゆるシックハウス症候群を引き起こし、大きな社会問題となっている。シックハウス症候群の原因物質として揮発性有機化合物（ＶＯＣ）が挙げられる。ＶＯＣガスとしてホルムアルデヒド、アセトアルデヒド、トルエン、キシレン、エチルベンゼン、スチレン等が挙げられるが、シックハウス症候群の主たる原因物質はホルムアルデヒドと言われている。また、このような有害ガスの発生源としてはフローリング、壁、天井等の内装建材や家具等が挙げられる。有害ガスを除去する手段としては、空気清浄機を用いて室内の汚染空気を循環しながら浄化するのが一般的であり、実用化されている空気浄化方式には活性炭方式、触媒方式、光触媒方式等がある。
【０００３】
例えば、活性炭を材料とする有害ガス除去フィルターは、風路に設置されるため、気流中の有害ガスを速やかに吸着することが可能であり、空気浄化効果の即効性が高い。しかし、ホルムアルデヒドやアセトアルデヒドの吸着性能は基本的に低く、活性炭の細孔表面に有害ガスの分子が吸着し、細孔表面全体がこれらの分子に覆われると浄化効果がなくなり寿命となる。活性炭方式は空気浄化性能には優れるが、使い捨てのため経済性、地球環境保全の立場からは好ましくない。
【０００４】
風路に設置した触媒により、気流中の有害ガスを酸化分解することにより浄化する触媒方式や、微粒子状の酸化チタンに紫外線を照射して活性分子を発生させ、気流中の有害ガスと化学反応を起こして浄化する光触媒方式では、活性炭方式の吸着速度と比較して化学反応速度が遅いため、浄化効果の即効性が低い。
【０００５】
また、有害ガス除去フィルターの再生に関しては従来例は見当たらないが、臭気ガス除去フィルターの再生に関しては種々の従来例がある。臭気ガス除去フィルターを長期にわたって使用するために吸着した臭気分子を電気ヒーターで脱着させて再生する手段が、例えば特許文献１乃至４に示されている。また、吸着した臭気分子を光触媒で光分解して再生する手段が、例えば特許文献５に示されている。
【０００６】
【特許文献１】特開昭６３−１２７７５９号公報（請求項１、第１図）
【特許文献２】特開平２−７８４１８号公報（請求項１、第１図）
【特許文献３】特開平３−２３３２３７号公報（請求項１、第１図）
【特許文献４】特開平９−１８７６２４号公報（請求項１、図１）
【特許文献５】特開平１０−２２７４６９号公報（請求項１、図１、図２）
【発明の開示】
【発明が解決しようとする課題】
【０００７】
しかし、特許文献１乃至４に開示するような、電気ヒーターによりフィルターの脱臭機能を再生する方式では、電気ヒーターという特別な再生手段をフィルターに組み付けるなどする必要があるため、構成が複雑になりコスト高となるうえに、再生期間中は脱臭機能は中断しているため、その間有害ガスの除去及び空気の浄化は行われないという問題がある。
また、特許文献５に開示するような、外部からの光を導入して光触媒の脱臭機能を再生する方式でも、外部からの光の導入手段という特別な再生手段を装置に設けなければならず、電気ヒーターによる再生方式と同様な問題がある。
【０００８】
本発明は、上述のような問題点に鑑みてなされたものであり、第１の課題は、室内空気中の有害ガス、特にシックハウス症候群の主たる原因物質であるホルムアルデヒドやアセトアルデヒド等の有害ガスを効率よく除去するとともに、空気浄化効果の即効性が高く、しかも特別な再生手段を必要とせずに有害ガス除去機能の自己再生が可能な自己再生型有害ガス除去フィルターを得ることである。
第２の課題は、そのような自己再生型有害ガス除去フィルターを安価に製造できる製造法を得ることである。
第３の課題は、そのような自己再生型有害ガス除去フィルターを用いることにより、室内空気の浄化を行う空気清浄機及び空調システムを提供することである。
【課題を解決するための手段】
【０００９】
本発明に係る自己再生型有害ガス除去フィルターは、吸湿性材料と常温活性触媒とを複合化したものからなり、さらにこの吸湿性材料の表面に空気中の水溶性有害ガスを溶解する凝縮した水膜を有するものである。
【発明の効果】
【００１０】
本発明は、吸湿性材料の表面に凝縮された水膜にシックハウス症候群の主たる原因物質であるホルムアルデヒドやアセトアルデヒド等の水溶性有害ガスが溶解することにより、該水溶性有害ガスを効率よく除去することができ、かつ空気浄化効果の即効性が高い。また、吸湿性材料と複合化された常温活性触媒は、水膜に溶解した上記水溶性有害ガスを徐々に酸化分解するため、有害ガス除去機能の自己再生が可能となる。
【発明を実施するための最良の形態】
【００１１】
実施の形態１．
図１は本発明の実施の形態１における自己再生型有害ガス除去フィルターの原理を示す概念図、図２は図１のＡ部をさらに拡大して示す模式的な拡大断面図である。
この自己再生型有害ガス除去フィルター１０は、フィルター本体部分１１が、全体として、図２に示すように、吸湿性材料１２と常温活性触媒１３とを複合化したものからなり、さらに吸湿性材料１２の表面に凝縮した水分で形成された水膜１４を有するものである。すなわち、高性能な吸湿性材料であれば、室温で低湿度においても吸湿性材料１２の表面に凝縮された水膜１４が存在することになる。なお図１において、Ｇは空気中の水溶性有害ガスを示し、水膜１４に溶解する様子を示す。
【００１２】
吸湿性材料１２は、量的に多くの水溶性有害ガスを溶解させるよう、また表面積が増加するように表面を凹凸状に形成することが好ましい。吸湿性材料１２としては吸湿性多孔質材料である吸湿性セラミックスが用いられる。吸湿性セラミックスとしてはシリカゲルあるいはゼオライトを基材とする材料が好適に用いられる。
【００１３】
吸湿性材料１２に複合化される常温活性触媒１３としては貴金属と金属酸化物を複合した触媒が用いられる。貴金属としては金、白金、イリジウム、パラジウム、ロジウムおよびルテニウムが用いられる。金属酸化物としては酸化錫、酸化マンガン、酸化タンタル、酸化ジルコニウム、酸化チタン、酸化セリウム等が用いられる。
【００１４】
また、吸湿性材料１２に複合化される常温活性触媒１３として金属酸化物を主成分とする触媒を用いることもできる。この場合の金属酸化物としては酸化錫、酸化マンガン、酸化タンタル、酸化ジルコニウム、酸化チタン、酸化セリウム等が用いられる。
【００１５】
上記の自己再生型有害ガス除去フィルター１０は、吸湿性材料１２として、例えばシリカゲルの微粉末と、常温活性触媒１３として、例えばマンガン酸化物の微粒子を微粒子状の無機バインダー（図示せず）と均一に混合し、水を加えて成形した後に乾燥、焼成することにより製造される。そして、シリカゲルの表面に空気中の水蒸気が吸着し、凝縮した水分が細孔の表面を覆うように分布する状態となる。これによって、凝縮した水膜１４が吸湿性材料１２であるシリカゲルの表面に形成される。水膜１４の厚さは１μｍ以下である。
【００１６】
次に、この自己再生型有害ガス除去フィルター１０により除去しようとする有害ガス、特にＶＯＣガスについて述べる。
【００１７】
建材や家具等から発生するＶＯＣガスが先に述べたようにシックハウス症候群の原因と考えられている。ＶＯＣガスとしてホルムアルデヒド、アセトアルデヒド、トルエン、キシレン、エチルベンゼン、スチレン等が挙げられるが、シックハウス症候群の主たる原因物質はホルムアルデヒドと言われている。
【００１８】
ＶＯＣガスの主成分であるホルムアルデヒドおよびアセトアルデヒドは低級アルデヒドであり、水に溶解する性質がある。上記アルデヒドは水分が存在すれば溶解する水溶性有害ガスであると言う特徴がある。
【００１９】
また、一説によると、室内空気中のホルムアルデヒドは空気中の酸化性ガス（大気汚染物質であるＮＯｘやオキシダント）と化学反応すると低級脂肪酸である蟻酸を生成し、この蟻酸こそがシックハウス症候群の真の原因物質であるとの説もある。アセトアルデヒドも空気中の酸化性ガスと化学反応すると低級脂肪酸である酢酸を生成する。
【００２０】
上記低級脂肪酸である蟻酸や酢酸も水溶性であり、水分が存在すれば溶解する水溶性ガスであると言う特徴がある。
【００２１】
そこで、上記のようなＶＯＣガスを主成分とする汚染された室内空気に対する、自己再生型有害ガス除去フィルター１０の作用について説明する。
【００２２】
水溶性ＶＯＣ等の汚染物質を含む空気をこのフィルター１０に通過させ、空気中の水溶性有害ガスＧが吸湿性材料１２の表面を覆っている凝縮した水膜１４に接触すると、水溶性有害ガスＧは水膜１４の中に溶解して取り込まれる。吸湿性材料１２は常温活性触媒１３を複合化したものであるので、常温活性触媒１３は、水膜１４の中に溶解した水溶性有害ガスＧを徐々に酸化していき、最終的には無害な水と二酸化炭素になるまで酸化する。二酸化炭素は空気中に放出される。このように、水膜１４に溶解した水溶性有害ガスＧを水膜１４に接している常温活性触媒１２により酸化分解することにより、フィルター１０は自己再生される。
【００２３】
本実施の形態によれば、水溶性有害ガスを主成分とする汚染空気をフィルター１０に通過させ、吸湿性材料１２の表面に凝縮された水膜１４に上記水溶性有害ガスを溶解させることにより水溶性有害ガスを除去し空気の浄化を行うことができる。したがって、シックハウス症候群の原因物質とされるホルムアルデヒドやアセトアルデヒドを迅速かつ効率よく除去することができる。さらに、これらの溶解した水溶性有害ガスは、吸湿性材料１２に複合化された常温活性触媒１３により徐々に酸化分解されるので、フィルターの自己再生が可能であり、水溶性有害ガス除去機能の再生のための別途特別な再生手段は何も必要としない。したがって、フィルターの自己再生が可能なため、再生期間中、フィルターの水溶性有害ガス除去機能が中断されることがなく、メンテナンスフリーで長期間にわたって使用が可能である。また、使い捨てではないため経済的であり、地球環境保全の立場からも有利である。
【００２４】
また、吸湿性材料が吸湿性セラミックスであるので、常温活性触媒との複合化が容易であり、フィルターの長寿命化を図ることができる。
【００２５】
さらに、常温活性触媒が貴金属と金属酸化物を複合化した触媒であるので、水溶性有害ガスの酸化分解作用を促進する効果がある。
【００２６】
以下においては、本発明を適用した、より具体的な実施の形態を示す。
【００２７】
実施の形態２．
図３は本発明の実施の形態２における自己再生型有害ガス除去フィルターの分解斜視図である。
本実施の形態は、フィルター本体部分を、図３（ａ）に示すように、複数の格子状の貫通孔（空気通路）１５をもつハニカム状構造体１６で構成したものである。
【００２８】
すなわち、吸湿性材料としてシリカゲルを用い、通常のセラミックスの製造工程を経て、複数の格子状の貫通孔（空気通路）１５を有する方形状のハニカム状構造体１６をつくる。具体的にはコージライト（菫青石）をバインダーとして原料を格子状に成形し、焼成炉で焼成する。次に、このハニカム状構造体１６の主として貫通孔１５の部分の表面に金属酸化物として酸化マンガンを、貴金属として白金を担持させることにより自己再生型有害ガス除去フィルター１０Ａが得られる。
【００２９】
自己再生型有害ガス除去フィルター１０Ａは、図３（ａ）に示すような形態（ハニカム状構造体）のままでも使用できるが、さらに図３（ｂ）に示すような金属製もしくは合成樹脂製等のフィルター枠１７に組み込むことにより補強することができる。ハニカム状構造体１６の固定手段としては一般的な接着やビス止め等が利用される。あるいは、フィルター枠１７内に設けられた切り起こし片（図示せず）の弾性力を利用し、該切り起こし片がハニカム状構造体１６の外周部に設けられた凹部（図示せず）に係合する構造としてもよい。
【００３０】
本実施の形態の自己再生型有害ガス除去フィルター１０Ａでは、汚染された空気がハニカム状構造体１６の複数の格子状の貫通孔１５を通過する過程において、実施の形態１で述べたとおりの水溶性有害ガスの除去及び分解作用と空気の浄化作用並びにフィルターの自己再生作用が行われる。さらに、吸湿性材料によりハニカム状に成形したものであるので、フィルターの低圧損を実現することができるとともに、水溶性有害ガスの除去効果の即効性が極めて高い。
【００３１】
実施の形態３．
図４は本発明の実施の形態３における自己再生型有害ガス除去フィルターの分解斜視図である。
本実施の形態は、フィルター本体部分を、図４（ａ）に示すように、波板部１８ａと平板部１８ｂを上下交互に（縦向きに左右交互でもよい）設けて複数の半月状の空気通路１８ｃをもつハニカム状構造体１８で構成したものである。
【００３２】
具体的には、吸湿性材料としてゼオライトを用い、ゼオライトと無機繊維パルプの混合水溶液を湿式抄紙してゼオライト混抄紙を作製する。このゼオライト混抄紙を部分的・断続的にコルゲート加工することにより、波板部１８ａと平板部１８ｂを上下交互にもつハニカム状構造体１８が得られる。次に、このハニカム状構造体１８の波板部１８ａと平板部１８ｂの各表面、すなわち各空気通路１８ｃの表面に金属酸化物として酸化マンガンを、貴金属としては白金を担持させる。これを金属製もしくは合成樹脂製等のフィルター枠１９に組み込むことにより強度的に補強された自己再生型有害ガス除去フィルター１０Ｂが得られる。
【００３３】
本実施の形態の自己再生型有害ガス除去フィルター１０Ｂでは、ハニカム状構造体１８の波板部１８ａと平板部１８ｂとで形成される隙間が空気の通る通路（空気通路１８ｃ）となる。その作用効果は実施の形態２と同様である。もっとも、コスト的には実施の形態２よりも安価になる。
【００３４】
上記実施の形態２および実施の形態３で作製された自己再生型有害ガス除去フィルター１０Ａ、１０Ｂの基本的な作用効果は前述のとおりである。ここではさらに、フィルター１０Ａ、１０Ｂの性能を比較評価するために、フィルターの圧損と水溶性有害ガスの除去効率について、それぞれの試験結果を以下に示す。
【００３５】
（１）フィルターの圧損について
フィルターの圧損は風速に依存するため、一般的な使用範囲である風速０．２〜１．０ｍ／ｓにおいて、自己再生型有害ガス除去フィルター１０Ａ、１０Ｂのそれぞれに対するフィルターの圧損を測定した。その結果を表１に示す。
【００３６】
【表１】
2005224703.tif 000003
【００３７】
表１より、フィルター１０Ａの方がフィルター１０Ｂよりも圧損が低い値を示しているが、いずれのフィルター１０Ａ、１０Ｂも実用上何ら差し支えないものであり、水溶性有害ガスの除去フィルターとして使用できる範囲の圧損であることを確認した。
【００３８】
（２）水溶性有害ガスの除去効率について
有害ガスの除去性能は有害ガスを含む空気がそれぞれのフィルター１０Ａ、１０Ｂを一回通過した時に有害ガスが除去される割合を「一過性除去効率」で表すものとする。水溶性有害ガスとして代表的なホルムアルデヒド、アセトアルデヒド、蟻酸および酢酸について一過性除去効率の測定を行った。一過性除去効率は風速に依存するため、風速０．２ｍ／ｓ、０．５ｍ／ｓおよび１．０ｍ／ｓにおけるフィルター１０Ａ、１０Ｂの一過性除去効率の測定結果を表２に示す。
【００３９】
【表２】
2005224703.tif 000004
【００４０】
表２より、各フィルター１０Ａ、１０Ｂとも、高い一過性除去効率を有していることがわかる。
また、シックハウス症候群の主たる原因物質であるホルムアルデヒドやアセトアルデヒドに対して自己再生型有害ガス除去フィルターを使用した結果、上記有害ガスを高効率で除去し、かつ自己再生機能によりメンテナンスフリーで長期間使用できることを確認した。
【００４１】
また、上記ホルムアルデヒドやアセトアルデヒドが空気中の酸化性ガスと化学反応して生成する蟻酸や酢酸に対しても自己再生型有害ガス除去フィルターを使用した結果、上記有害ガスを高効率で除去し、かつ自己再生機能によりメンテナンスフリーで長期間使用できることを確認した。
【００４２】
また、上記のハニカム状構造体１６、１８のそれぞれの空気通路の表面に酸化マンガンを主体とする金属酸化物のみを担持させた別の自己再生型有害ガス除去フィルターを得、有害ガス除去性能を評価した結果、表２よりも性能は低下するが、風速１ｍ／ｓで一過性除去効率が５０％以上あり、実用性があることを確認した。この場合には貴金属を用いないために低コストであると言うメリットがある。
【００４３】
（その他の変形例）
以上の実施の形態１では、フィルター本体部分を全体的に吸湿性材料と常温活性触媒を複合化したもので構成することとしている。また、実施の形態２及び３では、フィルター部分を吸湿性材料で構成することとしている。しかし、フィルター本体部分は衝撃等の強度がある程度確保されていればよいので、フィルター本体部分の全体を上述の材料で製作する必要はない。本発明の課題に照らせば、フィルターの空気の通る通路の部分で上述した有害ガスの除去機能を発揮するものであればよいことになる。すなわち、先に示した図１において、符号１１で示す部分を空気通路の表層部分とみることもできる。この場合は、空気通路の表層部分のみが吸湿性材料と常温活性触媒の複合化材料で構成されていればよい。例えば、コーティングや溶射等を用いて空気通路の表面に複合化材料を塗着することによって多孔質材に近い特性をもつ表層部分が得られる。
【００４４】
なお、フィルターの外形形状や空気通路の断面形状は特に限定されるものでない。円形、四角形、長円、多角形等任意の形状とすることができる。
【００４５】
実施の形態４．
図５は本発明の実施の形態４における空気清浄機の概略構成図である。
本実施の形態では、実施の形態２あるいは実施の形態３で示した自己再生型有害ガス除去フィルター１０Ａ（または１０Ｂ）を用いている。
図５において、空気清浄機２０のケーシング２１内の風路２２に、空気取り入れ口２３から順に、除塵フィルター２４、自己再生型有害ガス除去フィルター１０Ａ（１０Ｂ）、及び送風機２５を設置し、送風口２６から清浄化された空気を室内へ吹き出すようにしている。
【００４６】
この空気清浄機２０では、ホルムアルデヒドやアセトアルデヒドを含む空気は送風機２５により空気取り入れ口２３からケーシング２１内に吸引される。吸引風路２２には除塵フィルター２４および本発明による自己再生型有害ガス除去フィルター１０Ａ（１０Ｂ）が設けられており、室内空気に含まれる粒子状物質はまず、除塵フィルター２４にて捕集され、水溶性有害ガスであるホルムアルデヒドやアセトアルデヒドは自己再生型有害ガス除去フィルター１０Ａ（１０Ｂ）で溶解・除去される。清浄化された空気は送風口２６から室内へ吹き出される。このように、送風機２５により室内空気を循環させることにより、室内空気の浄化が進行する。
【００４７】
自己再生型有害ガス除去フィルターの吸湿性材料表面に凝縮した水膜に溶解・除去されたホルムアルデヒドやアセトアルデヒドは常温活性触媒により徐々に酸化分解され、有害ガス除去フィルターは自己再生されることを確認した。
【００４８】
本実施の形態のように、除塵フィルターおよび自己再生型有害ガス除去フィルターを設けた空気清浄機を用いた場合には、室内空気中に含まれる粒子状物質は除塵フィルターにて捕集され、水溶性有害ガスであるホルムアルデヒドやアセトアルデヒドは自己再生型有害ガス除去フィルターで溶解・除去され、溶解した有害ガスを上記常温活性触媒により徐々に酸化分解することにより再生が可能なため、メンテナンスフリーで長期間にわたって使用が可能であり、経済的にも地球環境保全の立場からも有利である。
【００４９】
実施の形態５．
図６は本発明の実施の形態５における空調システムの概略構成図である。
本実施の形態では、実施の形態２あるいは実施の形態３で示した自己再生型有害ガス除去フィルター１０Ａ（または１０Ｂ）を用いている。
図６において、空調システム３０は、図示しない空調装置に連通する空気ダクト３２をケーシング３１に備え、ケーシング３１内で空気ダクト３２からの風路と空気取り入れ口３３からの風路とが送風機３４によって合流するようになっている。そして、空気ダクト３２内には集塵フィルター３５が、空気取り入れ口３３の近傍には上記自己再生型有害ガス除去フィルター１０Ａ（１０Ｂ）が設置されている。
【００５０】
この空調システム３０では、ホルムアルデヒドやアセトアルデヒドを含む空気は送風機３４により空気取り入れ口３３からケーシング３１内に吸引される。同様に、空気ダクト３２からも空調された室内空気がケーシング３１内に吸引される。そして、空気ダクト３２内に設けられた除塵フィルター３５によって主に空調された室内空気に含まれる粒子状物質が捕集され、水溶性有害ガスであるホルムアルデヒドやアセトアルデヒドは空気取り入れ口３３に設けられた自己再生型有害ガス除去フィルター１０Ａ（１０Ｂ）によって溶解・除去される。清浄化された空気は送風口３６から室内へ吹き出される。このように、送風機３５により室内空気を循環させることにより、室内空気の浄化が空調と並行して進行する。
【００５１】
自己再生型有害ガス除去フィルターの吸湿性材料表面に凝縮した水膜に溶解・除去された水溶性有害ガスは常温活性触媒により徐々に酸化分解され、有害ガスフィルターは自己再生されることを確認した。
【００５２】
本実施の形態のように、除塵フィルターおよび自己再生型有害ガス除去フィルターを設けた空調システムを用いた場合には、室内空気中に含まれる粒子状物質は除塵フィルターにて捕集され、水溶性有害ガスであるホルムアルデヒドやアセトアルデヒドは自己再生型有害ガス除去フィルターで溶解・除去され、溶解した有害ガスを上記常温活性触媒により徐々に酸化分解することにより再生が可能なため、メンテナンスフリーで長期間にわたって使用が可能であり、経済的にも地球環境保全の立場からも有利である。
【図面の簡単な説明】
【００５３】
【図１】本発明の実施の形態１における自己再生型有害ガス除去フィルターの原理を示す概念図である。
【図２】図１のＡ部の模式的な拡大断面図である。
【図３】本発明の実施の形態２を示す自己再生型有害ガス除去フィルターの分解斜視図である。
【図４】本発明の実施の形態３を示す自己再生型有害ガス除去フィルターの分解斜視図である。
【図５】本発明の実施の形態４を示す空気清浄機の概略構成図である。
【図６】本発明の実施の形態５を示す空調システムの概略構成図である。
【符号の説明】
【００５４】
１０、１０Ａ、１０Ｂ  自己再生型有害ガス除去フィルター、１１  フィルター本体部分、１２  吸湿性材料、１３  常温活性触媒、１４  水膜、１５  貫通孔、１６  ハニカム状構造体、１７  フィルター枠、１８  ハニカム状構造体、１９  フィルター枠、２０  空気清浄機、２１  ケーシング、２２  風路、２５  送風機、３０  空調システム、３１  ケーシング、３４  送風機。
【図１】
2005224703.tif 000005
【図２】
2005224703.tif 000006
【図３】
2005224703.tif 000007
【図４】
2005224703.tif 000008
【図５】
2005224703.tif 000009
【図６】
2005224703.tif 000010